(57)【要約】【課題】金融機関等に設置されたキャッシュコーナーにおいて両替サービスを提供する場合に、装置の設置スペースの柔軟性を向上させる。【解決手段】第一の装置と、該第一の装置とネットワークを介して接続された第二の装置とを備える両替システムであって、利用者に対して出金される包装硬貨に関する情報を作成する、第二の装置の作成部は、第二の装置の読取部で読み取られた利用者の情報と、包装硬貨として両替出金する貨幣の情報とを基に、前記利用者に対して両替出金される包装硬貨に関する情報を作成し、第二の装置の貨幣取扱部は、包装硬貨以外の貨幣を両替出金し、第一の装置の制御部は、第一の装置の読取部で読み取られた利用者の情報が第一の装置の格納部に含まれるか判定し、前記判定の結果に応じて、第一の装置の包装硬貨出金部より包装硬貨を両替出金する。【選択図】図１
2015161955.tif 000002
【特許請求の範囲】
【請求項１】
第一の装置と、該第一の装置とネットワークを介して接続された第二の装置とを備える両替システムであって、
前記第一の装置は、
利用者の情報を読み取る第一の読取部と、
包装硬貨を両替出金する包装硬貨出金部と、
利用者に対して両替出金される包装硬貨に関する情報を格納する格納部と、
制御部と、
を備え、
前記第二の装置は、
利用者の情報を読み取る第二の読取部と、
包装硬貨以外の貨幣の入金処理、出金処理及び鑑別処理を実行する貨幣取扱部と、
前記利用者に対して出金される包装硬貨に関する情報を作成する作成部と、
を備え、
前記作成部は、前記第二の読取部で読み取られた利用者の情報と、包装硬貨として両替出金する貨幣の情報とを基に、前記利用者に対して両替出金される包装硬貨に関する情報を作成し、
前記貨幣取扱部は、前記包装硬貨以外の貨幣を両替出金し、
前記制御部は、前記第一の読取部で読み取られた利用者の情報が前記格納部に含まれるか判定し、前記判定の結果、該利用者の情報が前記格納部に含まれる場合、前記包装硬貨出金部より包装硬貨を両替出金することを特徴とする両替システム。
【請求項２】
第一の装置と、該第一の装置とネットワークを介して接続された第二の装置とを備える両替システムであって、
前記第一の装置は、
利用者の情報を読み取る第一の読取部と、
包装硬貨を両替出金する包装硬貨出金部と、
利用者に対して出金される包装硬貨に関する情報を格納する格納部と、
前記利用者に対して両替出金される包装硬貨に関する情報を作成する作成部と、
制御部と、
を備え、
前記第二の装置は、
利用者の情報を読み取る第二の読取部と、
包装硬貨以外の貨幣の入金処理、出金処理及び鑑別処理を実行する貨幣取扱部と、
を備え、
前記貨幣取扱部は、前記包装硬貨以外の貨幣を両替出金し、
前記作成部は、前記第一の読取部で読み取られた利用者の情報と、包装硬貨として両替出金する貨幣の情報とを基に、前記利用者に対して両替出金される包装硬貨に関する情報を作成し、
前記制御部は、前記第一の読取部で読み取られた利用者の情報が前記格納部に含まれるか判定し、前記判定の結果、該利用者の情報が前記格納部に含まれる場合、前記包装硬貨出金部より包装硬貨を両替出金することを特徴とする両替システム。
【請求項３】
請求項１または２記載の両替システムであって、
前記包装硬貨として出金する貨幣の額は、両替取引において、前記貨幣取扱部に投入された貨幣の額を上限とすることを特徴とする両替システム。
【請求項４】
請求項１または２記載の両替システムであって、
前記包装硬貨として出金する貨幣の額は、出金取引において出金される貨幣の額を上限とすることを特徴とする両替システム。
【請求項５】
請求項１〜４のいずれかに記載の両替システムであって、
前記貨幣取扱部は、紙幣取扱部であり、
前記第一の装置は、さらに硬貨の入金処理、出金処理及び鑑別処理を実行する硬貨取扱部を備えることを特徴とする両替システム。
【発明の詳細な説明】
【技術分野】
【０００１】
本発明は、両替システムに関する。
【背景技術】
【０００２】
金融機関等に設置されたキャッシュコーナーで包装硬貨への両替処理を実行する場合、棒金硬貨の出金部を搭載した自動両替装置を用いる。自動両替装置は、所定枚数の硬貨を金種別に包装した包装硬貨を取り扱うことが一般的である。
【０００３】
特許文献１には、包装硬貨払出装置への包装硬貨の補充を大幅に不足なく行うことができるようにするとともに、作業ミスの防止と作業性の向上を図るための包装硬貨処理システムが記載されている。
【先行技術文献】
【特許文献】
【０００４】
【特許文献１】特開２００８−１９１８３５号公報
【発明の概要】
【発明が解決しようとする課題】
【０００５】
特許文献１に記載されたような包装硬貨払出装置の場合、包装硬貨への両替が可能であるが、紙幣への両替や、包装硬貨より少ない枚数の硬貨（バラ硬貨）への両替にも対応する場合には、紙幣を取り扱う紙幣処理部や、バラ硬貨を取り扱う硬貨処理部を自動両替装置に設ける必要がある。この場合、自動両替取引装置は、一般的な自動取引装置（Automated Teller Machine、ＡＴＭ）に比べて横幅が長くなる（ＡＴＭの横幅が約５７０ｍｍである一方、自動両替装置の横幅は約７００ｍｍである）。そのため、自動両替取引装置を設置する際に、広い設置スペースが必要となっていた。
【０００６】
本発明は、装置の横幅が短い自動両替装置とＡＴＭとの間で両替処理を連携させることにより、金融機関等に設置されたキャッシュコーナーにおいて両替サービスを提供する場合に、装置の設置スペースの柔軟性を向上させることを主な目的としている。
【課題を解決するための手段】
【０００７】
上記の目的を達成するために、本発明は、第一の装置と、該第一の装置とネットワークを介して接続された第二の装置とを備える両替システムであって、前記第一の装置は、利用者の情報を読み取る第一の読取部と、包装硬貨を両替出金する包装硬貨出金部と、利用者に対して両替出金される包装硬貨に関する情報を格納する格納部と、制御部と、を備え、前記第二の装置は、利用者の情報を読み取る第二の読取部と、包装硬貨以外の貨幣の入金処理、出金処理及び鑑別処理を実行する貨幣取扱部と、前記利用者に対して出金される包装硬貨に関する情報を作成する作成部と、を備え、前記作成部は、前記第二の読取部で読み取られた利用者の情報と、包装硬貨として両替出金する貨幣の情報とを基に、前記利用者に対して両替出金される包装硬貨に関する情報を作成し、前記貨幣取扱部は、前記包装硬貨以外の貨幣を両替出金し、前記制御部は、前記第一の読取部で読み取られた利用者の情報が前記格納部に含まれるか判定し、前記判定の結果、該利用者の情報が前記格納部に含まれる場合、前記包装硬貨出金部より包装硬貨を両替出金することを特徴とする。
【発明の効果】
【０００８】
装置の横幅が短い自動両替装置とＡＴＭとの間で両替処理を連携させることにより、金融機関等に設置されたキャッシュコーナーにおいて両替サービスを提供する場合に、装置の設置スペースの柔軟性を向上させることが可能となる。
【図面の簡単な説明】
【０００９】
【図１】両替システムの全体構成図
【図２】包装硬貨処理装置の内部構成を示したブロック図
【図３】両替可能金額ファイルのデータ内容を示す図
【図４】ＡＴＭの内部構成を示したブロック図
【図５】ホストコンピュータの内部構成を示したブロック図
【図６】連携両替処理におけるＡＴＭの処理を示すフローチャート
【図７】取引選択画面の一例
【図８】カード受付画面の一例
【図９】両替貨幣受付画面の一例
【図１０】入金金額確認画面の一例
【図１１】両替媒体選択画面の一例
【図１２】包装硬貨の取扱案内画面の一例
【図１３】包装硬貨の両替設定画面の一例
【図１４】紙幣とバラ硬貨の両替設定画面の一例
【図１５】包装硬貨処理装置への誘導案内画面の一例
【図１６】連携両替処理（両替取引）における包装硬貨処理装置の処理を示すフローチャート
【図１７】受付画面の一例
【図１８】両替可能金額が０円の場合における取引操作画面の一例
【図１９】包装硬貨の出金可能本数の確認画面の一例
【図２０】連携両替処理（支払取引）における包装硬貨処理装置の処理を示すフローチャート
【図２１】支払金額の種別の選択画面の一例
【発明を実施するための形態】
【００１０】
［実施例１］
以下、図１〜図１９を参照して、本実施形態について説明する。
図１は、両替システムＳの全体構成図である。両替システムＳは、包装硬貨処理装置（包装硬貨出金装置、第一の装置）１と、ＡＴＭ（Automated Teller Machine、自動取引装置、第二の装置）２と、ルータ３と、第１のネットワーク４と、ホストコンピュータ５と、第２のネットワーク６とから構成されている。これらの構成のうち、包装硬貨処理装置１と、ＡＴＭ２と、ルータ３と、第１のネットワーク４とは、同一の店舗（金融機関の営業店、小売店に設置されたＡＴＭスペースなど）に設置される。
【００１１】
包装硬貨処理装置１は、後述の通り、包装硬貨を出金する装置である。そのため、ＡＴＭ２に比べて簡略化され、小型化された構成である。ＡＴＭ２は、利用者の操作により、貨幣の入金や出金等の取引を行う自動取引装置である。なお、包装硬貨処理装置１及びＡＴＭ２は、店舗の利用状況に応じて、それぞれ複数台設置されても良い。
【００１２】
ルータ３は、ＡＴＭ２とホストコンピュータ５との間で、入出金取引、振込取引、残高照会等の各種取引においてデータの送受信が行われる際に介される通信部である。なお、包装硬貨処理装置１とホストコンピュータ５との間ではデータの送受信が行われない。
【００１３】
第１のネットワーク４は、包装硬貨処理装置１と、ＡＴＭ２と、ルータ３との間でデータが送受信される際に用いられるネットワークである。具体例として、第１のネットワーク４は、ＬＡＮ（Local Area Network）が一般的であるが、これに限られるものではない。すなわち、包装硬貨処理装置１は、ホストコンピュータ５との関係においてはオフライン状態であるが、ＡＴＭ２との関係においては、第１のネットワーク４を介して通信可能な状態である。
【００１４】
ホストコンピュータ５は、ＡＴＭの利用者の口座情報、口座残高等を記憶しており、上述の通り、ＡＴＭ２とデータの送受信を行うコンピュータである。
【００１５】
第２のネットワーク６は、第１のネットワーク４よりも広域のネットワークであって、ホストコンピュータ５と第１のネットワーク４とを接続するネットワークである。具体例として、第２のネットワーク６は、金融機関のオンラインシステムが一般的であるが、これに限られるものではない。
【００１６】
図２は、包装硬貨処理装置１の内部構成を示したブロック図である。
包装硬貨処理装置１は、制御部１１と、操作表示部１２と、包装硬貨出金機構部１３と、カード機構部１４と、明細票機構部１５と、通信制御部１６と、情報受信部１７と、格納部１８とを備えている。
【００１７】
制御部１１は、ＣＰＵ（Central Processing Unit）、ＲＯＭ（Read Only Memory）、ＲＡＭ（Random Access Memory）等のハードウェアと、プログラム、データ等のソフトウェアとから構成され、出金取引、両替取引における処理や、上記包装硬貨処理装置１の各部を制御する。
【００１８】
操作表示部１２は、タッチパネル等の操作部と、ＬＣＤ（liquid crystal display）等の表示部とを組み合わせた構成であり、包装硬貨処理装置１の利用者による操作を検知すると共に、当該利用者に対して様々な取引画面（取引操作の誘導画面、両替金種の指定画面等）を表示する。すなわち、操作表示部１２は、画面表示、キー入力検知機能を有している。なお、操作表示部１２の操作部と表示部とをそれぞれ別個に配置した構成、例えばＬＣＤの近傍の位置にキーパッドを配置した構成としても良い。
【００１９】
包装硬貨出金機構部１３は、包装硬貨（複数枚の同一金種の硬貨が整列された状態で包装され、略棒状となったもの。棒金とも称する。）を利用者に対して放出する機構である。具体的には、包装硬貨出金機構部１３は、包装硬貨が金種毎に収納される収納部と、包装硬貨の金種を判別する判別部と、利用者に対して放出された包装硬貨の放出口とを備えている。すなわち、包装硬貨出金機構部１３は、包装硬貨の出金機能を有している。
【００２０】
カード機構部１４は、利用者により挿入されたカードの挿入動作、利用者に対するカードの排出動作、及びカードの磁気ストライプ又はＩＣチップへのリード又はライト動作等を行う。すなわち、カード機構部１４は、利用者の情報を読み取る第一の読取部としての機能を有する。
【００２１】
明細票機構部１５は、印字部により取引明細を明細票に印字し、搬送部により取引明細が印字された明細票を装置外に排出する。
【００２２】
通信制御部１６は、第１のネットワーク４を介して、第１のネットワークに接続されたＡＴＭ２とデータの送受信を実行する。
【００２３】
情報制御部１７は、格納部１８に格納された両替可能金額ファイル１９のデータの読み取りと、データの一部の書き換え及びファイルの更新を行う。
【００２４】
格納部１８は、ＲＡＭ（Random Access Memory）、ＨＤＤ（Hard Disk Drive）等であり、後述するＡＴＭの情報作成部３０によって作成される両替可能金額ファイル１９が格納される。なお、両替可能金額ファイル１９は、ＬＡＮ４に接続されている装置であれば、いずれの装置に格納しても良いが、本実施例では、格納部１８に格納している。
【００２５】
図３は、両替可能金額ファイル１９のデータ内容を示す図である。両替可能金額ファイル１９は、複数のレコードから構成されているが、各レコードは、カード種別（図４の例では、１桁）、店舗番号（図４の例では、４桁）、カード番号（図４の例では、１３桁）、最新取引年月日（図４の例では、６桁）、最新取引時刻（図４の例では、４桁）、同一の店舗に設置されたＡＴＭにおいて、両替取引を実行する場合における両替可能金額（図４の例では、６桁）、同一の店舗に設置されたＡＴＭにおいて、支払取引における両替処理を実行する場合における両替可能金額（図４の例では、６桁）、両替取引又は支払取引における両替処理において指定された５００円包装硬貨、１００円包装硬貨、５０円包装硬貨、１０円包装硬貨、５円包装硬貨、１円包装硬貨の両替本数（図４の例では、それぞれ２桁）の各データを含むものとする。
【００２６】
カード種別は、少なくとも、キャッシュカードと両替専用カードとを区別することが可能であり、例えば、「１」をキャッシュカードとし、「２」を両替専用カードとする。最新取引年月日は、西暦の下２桁、月２桁、日２桁から構成されているが、西暦を４桁として、８桁にしても良い。最新取引時刻は、時（２４時間制）２桁、分２桁から構成されているが、時を１２時間制として、午前・午後を示すコードを別途追加しても良い。
【００２７】
ＡＴＭ２側で連携両替処理が実行された際に、制御部２１は、カード情報とともに包装硬貨処理装置１から出金させる金額と、利用者によって選択された包装硬貨の金種毎の出金本数とを両替可能金額ファイル１９のレコードに書き込む。その後、包装硬貨処理装置１側での取引の際に、両替可能金額ファイル１９が参照され、利用者から受付けたカードと、カード種別・店番・カード番号とが一致するレコードが存在するかどうかを判定し、存在する場合は、そのレコードに記録されている出金可能金額の範囲内で包装硬貨の出金を行い、存在しない場合は、取引ＮＧ扱いとする。包装硬貨処理装置１で出金取引を正常に終了した場合、レコード内のデータをクリアすることにより、未使用レコードとする。
【００２８】
なお、支払取引における両替処理（実施例２を参照）を実行しない場合、各レコードは、同一の店舗に設置されたＡＴＭにおいて、支払取引を実行する場合における両替可能金額のデータを含まなくても良い。
【００２９】
図４は、ＡＴＭ２の内部構成を示したブロック図である。
ＡＴＭ２は、制御部２１と、通信制御部２２と、操作表示部２３と、紙幣取扱機構部２４と、硬貨取扱機構部２５と、通帳機構部２６と、カード機構部２７と、明細票機構部２８と、情報作成部２９とを備えている。
【００３０】
制御部２１は、ＣＰＵ（Central Processing Unit）、ＲＯＭ（Read Only Memory）、ＲＡＭ（Random Access Memory）等のハードウェアと、プログラム、データ等のソフトウェアとから構成され、入出金取引、残高照会、振込取引における処理や、上記ＡＴＭ２の各部を制御する。また、制御部２１は、両替可能金額ファイル１９の所在領域およびファイルの名称を記憶する。
【００３１】
通信制御部２２は、第１のネットワーク４を介して、第１のネットワーク４に接続された包装硬貨処理装置１、及び第２のネットワーク６に接続されたルータ３とデータの送受信を実行する。なお、包装硬貨処理装置１の格納部１８に格納された両替可能金額ファイル１９にアクセスするためには、包装硬貨処理装置１に固有のアドレスを取得しておく必要があるが、包装硬貨処理装置１又はＡＴＭ２を設置する際に、ＡＴＭ２側でアドレスを設定しておくことが望ましい。
【００３２】
操作表示部２３は、包装硬貨処理装置１の操作表示部１２と同一の構成であるため、詳細な説明を省略する。
【００３３】
紙幣取扱機構部２４、硬貨取扱機構部２５は、それぞれの入出金口を介して、紙幣、硬貨の入金処理、出金処理、鑑別処理などを実行する。すなわち、ＡＴＭ２は、包装硬貨以外の貨幣の入金処理、出金処理、鑑別処理などを実行する貨幣取扱機構部を備えた構成である。
【００３４】
通帳機構部２６は、通帳挿入排出口を介して、取引時に使用される通帳の挿入及び排出を実行する。また、挿入された通帳への印字を実行する。さらに、通帳に貼付された磁気ストライプの情報の読取や、磁気ストライプへの情報の書込を実行する。カード機構部２７は、カード挿入排出口を介して、取引時に使用されるキャッシュカードなどの挿入及び排出を実行する。また、カードに付加された磁気ストライプの情報の読取・磁気ストライプへの情報の書込を実行する。すなわち、通帳機構部２６またはカード機構部２７は、利用者の情報を読み取る第二の読取部としての機能を有する。
【００３５】
明細票機構部２８は、取引明細の印字や、明細票発券口を介して、取引明細が印字された明細票の排出を実行する。
【００３６】
情報作成部２９は、上記両替可能金額ファイル１９を更新するためのデータを作成する。両替可能金額ファイル１９は、ＡＴＭ２側で貨幣を入金し、包装硬貨処理装置１側で一部または全額を両替出金する両替取引の場合に作成・更新される。以下、包装硬貨処理装置１とＡＴＭ２との間で連携する両替取引を、連携両替処理と定義する。
【００３７】
図５は、ホストコンピュータ５の内部構成を示したブロック図である。
ホストコンピュータ５は、制御部３１と、回線接続部３２と、口座情報ファイル制御部３３と、格納部３４とを備えている。
【００３８】
制御部３１は、ＣＰＵ（Central Processing Unit）、ＲＯＭ（Read Only Memory）、ＲＡＭ（Random Access Memory）等のハードウェアと、プログラム、データ等のソフトウェアとから構成され、利用者の口座情報の更新処理や、上記ホストコンピュータ５の各部を制御する。
【００３９】
回線接続部３２は、第２のネットワーク６とデータの送受信を実行する。回線接続部３２から送信されたデータは、第２のネットワーク６を介してルータ３に送信される。同様に、ルータ３から送信されたデータは、第２のネットワーク６を介して回線接続部３２に送信される。
【００４０】
口座ファイル制御部３３は、格納部３４の内部に格納された口座情報ファイル３５を制御する。格納部３４は、ＨＤＤ（Hard Disk Drive）等であり、口座情報ファイル３５が格納される。口座情報ファイル３５は、利用者の口座情報（利用者の口座番号、氏名等）や、入金取引、出金取引、振込取引等の取引履歴等が記憶される。
【００４１】
本実施例では、連携両替処理において、紙幣及びバラ硬貨への両替分は、ＡＴＭ２から出金され、包装硬貨への両替分は、包装硬貨処理装置１から出金されることを特徴とする。以下に、連携両替処理におけるＡＴＭ２側の処理を説明する。
【００４２】
図６は、連携両替処理におけるＡＴＭ２の処理を示すフローチャートである。最初に、ＡＴＭ２の制御部２１は、ＡＴＭ２の操作表示部２３に取引選択画面を表示させる。図７は、取引選択画面の一例である。
【００４３】
ＡＴＭ２の制御部２１は、図７の取引選択画面７０において「両替」キーが選択されたことを検出すると（Ｓ１０１）、ＡＴＭ２の操作表示部２３にカード受付画面を表示させるとともに、カード機構部２７に対してカードの挿入を検出するように指示する。図８は、カード受付画面の一例である。
【００４４】
ＡＴＭ２のカード機構部２７は、カードが挿入されたことを検出すると（Ｓ１０２）、当該カードのデータを読み取り、ＡＴＭ２の制御部２１に対して当該データを送信する。その後、ＡＴＭ２の制御部２１は、送信されたカードのデータより、カード種別・金融機関番号・支店番号・有効期限などを判定する（Ｓ１０３）。判定の結果、両替処理の取り扱いが可能なカードと判別した場合（Ｓ１０４：Ｙｅｓ）、ＡＴＭ２の制御部２１は、ＡＴＭ２の操作表示部２３に貨幣受付画面を表示させ、紙幣取扱機構部２４、硬貨取扱機構部２５は、両替対象の貨幣を受け付ける（Ｓ１０５）。図９は、貨幣受付画面９０の一例である。一方、Ｓ１０３の判定の結果、両替取引の取り扱いができないカードと判別した場合（Ｓ１０４：Ｎｏ）、ＡＴＭ２のカード機構部２７は、カードを返却する（Ｓ１２１）。これにより、取引が終了される。
【００４５】
紙幣取扱機構部２４、硬貨取扱機構部２５により、投入された貨幣が計数され、計数処理が終了すると、ＡＴＭ２の制御部２１は、ＡＴＭ２の操作表示部２３に入金金額確認画面１００を表示させる（Ｓ１０６）。図１０は、入金金額確認画面１００の一例である。
【００４６】
ＡＴＭ２の制御部２１は、図１０の入金金額確認画面１００において「確認」キーが選択されたことを検出すると、ＡＴＭ２の操作表示部２３に両替媒体選択画面１１０を表示させる（Ｓ１０７）。図１１は、両替媒体選択画面１１０の一例である。両替媒体選択画面１１０では、利用者により、両替媒体（「紙幣」「バラ硬貨」「包装硬貨」）が選択される。なお、少なくとも１以上の両替媒体が選択されなければならない。
【００４７】
ＡＴＭ２の制御部２１は、図１１の両替媒体選択画面１１０において両替媒体の選択が完了したことを検出すると、両替媒体として「包装硬貨」が選択されたか判定する（Ｓ１０８）。「包装硬貨」が選択されている場合（Ｓ１０８：Ｙｅｓ）、ＡＴＭ２の制御部２１は、ＡＴＭ２の操作表示部２３に包装硬貨の取扱案内画面１２０を表示させる（Ｓ１０９）。図１２は、包装硬貨の取扱案内画面１２０の一例である。包装硬貨の取扱案内画面１２０では、包装硬貨の両替を別の装置（包装硬貨処理装置１）にて操作する旨を案内する。一方、Ｓ１０８の判定の結果、「包装硬貨」が選択されていない場合（Ｓ１０８：Ｎｏ）、上記Ｓ１０９、及び後述するＳ１１０の処理を実行せずに、Ｓ１１１以降の処理を実行する。
【００４８】
ＡＴＭ２の制御部２１は、図１２に示す包装硬貨の取扱案内画面１２０において「確認」キーが選択されたことを検出すると、ＡＴＭ２の操作表示部２３に包装硬貨の両替設定画面１３０を表示させる（Ｓ１１０）。図１３は、包装硬貨の両替設定画面１３０の一例である。包装硬貨の両替設定画面１３０では、利用者の入金した貨幣の合計金額が「両替可能金額」として表示されており、「残り金額」の表示内容は、利用者により、包装硬貨の金種別の本数キーが選択される毎に更新される。すなわち、包装硬貨の両替設定画面１３０では、利用者の入金した貨幣の額を上限として、包装硬貨処理装置１で出金される包装硬貨の金種、本数が選択される。
【００４９】
ＡＴＭ２の制御部２１は、図１３の包装硬貨の両替設定画面１３０において「選択終了」キーが選択されたことを検出すると、Ｓ１０７において、両替媒体として「紙幣」又は「バラ硬貨」が選択されたか判定する（Ｓ１１１）。「紙幣」又は「バラ硬貨」が選択されている場合（Ｓ１１１：Ｙｅｓ）、ＡＴＭ２の制御部２１は、ＡＴＭ２の操作表示部２３に紙幣とバラ硬貨の両替設定画面１４０を表示させる（Ｓ１１２）。図１４は、紙幣とバラ硬貨の両替設定画面１４０の一例である。紙幣とバラ硬貨の両替設定画面１４０では、利用者の入金した貨幣の合計金額から、包装硬貨の両替設定画面１３０において選択された包装硬貨の合計金額を差し引いた残りの金額が「両替可能金額」として表示されており、「残り金額」の表示内容は、利用者により、紙幣の金種別の枚数キー及びバラ硬貨の金種別の枚数キーが選択される毎に更新される。一方、Ｓ１１１の判定の結果、「紙幣」又は「バラ硬貨」が選択されていない場合（Ｓ１１１：Ｎｏ）、上記Ｓ１１２、及び後述するＳ１１３の処理を実行せずに、Ｓ１１４以降の処理を実行する。
【００５０】
ＡＴＭ２の制御部２１は、図１４の紙幣とバラ硬貨の両替設定画面１４０において「選択終了」キーが選択されたことを検出すると、ＡＴＭ２の紙幣取扱機構部２４及び硬貨取扱機構部２５に対して、金種毎に設定された枚数の紙幣及びバラ硬貨の繰出を指示する。ＡＴＭ２の紙幣取扱機構部２４及び硬貨取扱機構部２５は、それぞれ金種毎に設定された枚数の紙幣及びバラ硬貨を繰り出す（Ｓ１１３）。
【００５１】
紙幣またはバラ硬貨の繰出処理が完了すると、ＡＴＭ２の紙幣取扱機構部２４及び硬貨取扱機構部２５は、ＡＴＭ２の制御部２１に対してその旨を送信する。続いて、ＡＴＭの制御部２１は、ＡＴＭ２のカード機構部２７及び明細票機構部２８に対して、カードの放出及び明細書の発行を指示する。ＡＴＭ２のカード機構部２７は、カードを、カード挿入排出口を介して排出し、ＡＴＭ２の明細票機構部２８は、取引明細を印字した明細票を、明細票発券口を介して排出する（Ｓ１１４）。ＡＴＭ２のカード機構部２７及び明細票機構部２８は、排出されたカード及び明細票が利用者に抜き取られたことを検出した後、ＡＴＭ２の制御部２１に対してその旨を送信する（Ｓ１１５）。
【００５２】
続いて、紙幣及びバラ硬貨が繰り出されている場合（Ｓ１１６：Ｙｅｓ）、ＡＴＭ２の紙幣取扱機構部２４及び硬貨取扱機構部２５は、繰り出された紙幣及びバラ硬貨が利用者に抜き取られたことを検出する（Ｓ１１７）。ＡＴＭ２の紙幣取扱機構部２４及び硬貨取扱機構部２５は、繰り出された紙幣及びバラ硬貨が利用者に抜き取られたことを検出した場合、ＡＴＭ２の制御部２１に対してその旨を送信する。
【００５３】
紙幣またはバラ硬貨の抜き取りが完了すると、ＡＴＭ２の制御部２１は、Ｓ１０７において、両替媒体として「包装硬貨」が選択されたか判定する（Ｓ１１８）。「包装硬貨」が選択されている場合（Ｓ１１８：Ｙｅｓ）、ＡＴＭ２の制御部２１は、ＡＴＭ２の操作表示部２３に包装硬貨処理装置１への誘導案内画面１５０を表示させる（Ｓ１１９）。図１５は、包装硬貨処理装置１への誘導案内画面１５０の一例である。Ｓ１１９の後、ＡＴＭ２の制御部２１は、情報作成部２９により作成された両替可能金額ファイル１９を更新するためのデータを、通信制御部２２及び第１のネットワーク４を介して、包装硬貨処理装置１の格納部１８に送信する（Ｓ１２０）。これにより、両替可能金額ファイル１９が更新される。具体的には、両替可能金額ファイル１９内にカード種別、店番、カード番号が一致するレコードが存在するかどうかを確認し、一致するレコーダが存在する場合は、当該レコード内容を更新する。一致するレコーダが存在しない場合は、未使用のレコードにデータを記録する。上述の通り、レコードには、カード情報、包装硬貨処理装置１での両替可能金額と包装硬貨の金種毎の両替本数の他、取引が実行された年月日と時刻等を記録する。ファイルを更新後、未使用のレコードが無くなった場合には、連携両替処理を実行できないようにする。
【００５４】
図１６は、連携両替処理（両替取引）における包装硬貨処理装置の処理を示すフローチャートである。最初に、包装硬貨処理装置１の制御部１１は、操作表示部１２に受付画面を表示させるとともに、カード機構部１４に対してカードの挿入を検出するように指示する。図１７は、受付画面１７０の一例である。
【００５５】
包装硬貨処理装置１のカード機構部１４は、カードが挿入されたことを検出すると（Ｓ２０１）、当該カードのデータを読み取り、包装硬貨処理装置１の制御部１１に対して当該データを送信する。その後、包装硬貨処理装置１の制御部１１は、送信されたカードのデータより、カード種別・金融機関番号・支店番号・有効期限などを判定する（Ｓ２０２）。判定の結果、両替取引の取り扱いが可能なカードと判別した場合（Ｓ２０３：Ｙｅｓ）、包装硬貨処理装置１の制御部１１は、両替可能金額ファイル１９を検索し（Ｓ２０４）、Ｓ２０２において判定されたカード種別・金融機関番号・支店番号と一致するレコードが存在するか否かを判定し（Ｓ２０５）、一致するレコードが存在する場合には（Ｓ２０５：Ｙｅｓ）、両替可能金額が０円であるか否かを判定する（Ｓ２０６）。
【００５６】
一致するレコードが存在しない場合（Ｓ２０５：Ｎｏ）。または一致するレコードが存在するが、当該レコードの両替可能金額が０円である場合（Ｓ２０５：Ｙｅｓ、Ｓ２０６：Ｙｅｓ）、包装硬貨処理装置１の制御部１１は、取引不可として、操作表示部１２に図１８に示す、両替可能金額が０円の場合における取引操作画面１８０を表示し（Ｓ２０７）、カードを返却する（Ｓ２１４）。
【００５７】
一方、一致するレコードが存在し、かつ、当該レコードの両替可能金額が０円でない場合（Ｓ２０５：Ｙｅｓ、Ｓ２０６：Ｎｏ）、包装硬貨処理装置１の制御部１１は、当該レコードのデータから、包装硬貨処理装置１における出金可能金額と包装硬貨の金種別の両替本数とを抽出し、図１９に示す、包装硬貨の出金可能本数の確認画面１９０を表示し、利用者に確認を促す（Ｓ２０８）。包装硬貨処理装置１の制御部１１は、利用者の確認操作が完了したことを検出すると、包装硬貨出金機構部１３に対して包装硬貨の繰出を指示する。包装硬貨出金機構部１３は、金種毎に設定された本数の包装硬貨を繰り出す（Ｓ２０９）。
【００５８】
包装硬貨の繰出処理が完了すると、包装硬貨出金機構部１３は、包装硬貨処理装置１の制御部１１に対してその旨を送信する。続いて、包装硬貨処理装置１の制御部１１は、包装硬貨処理装置１のカード機構部１４及び明細票機構部１５に対して、カードの放出及び明細書の発行を指示する。包装硬貨処理装置１のカード機構部１４は、カードを、カード挿入排出口を介して排出し、包装硬貨処理装置１の明細票機構部１５は、取引明細を印字した明細票を、明細票発券口を介して排出する（Ｓ２１０）。包装硬貨処理装置１のカード機構部１４及び明細票機構部１５は、排出されたカード及び明細票が利用者に抜き取られたことを検出した後、包装硬貨処理装置１の制御部１１に対してその旨を送信する（Ｓ２１１）。
【００５９】
続いて、包装硬貨処理装置１の制御部１１は、包装硬貨出金機構部１３に対して、包装硬貨が抜き取られたことの検出を指示する。包装硬貨出金機構部１３は、包装硬貨が抜き取られたことを、図示しないセンサにより検出した後、包装硬貨処理装置１の制御部１１に対してその旨を送信する（Ｓ２１２）。
【００６０】
連携両替処理を正常に終了した後、包装硬貨処理装置１の制御部１１は、包装硬貨処理装置１の格納部１８に格納された両替可能金額ファイル１９の内、Ｓ２０２において判定されたカード種別・金融機関番号・支店番号と一致するレコードのデータをクリアとし、当該レコードを未使用レコードとする（Ｓ２１３）。
［実施例２］
実施例１においては、両替取引における連携両替処理について説明したが、本実施例では、ＡＴＭ２側で支払取引における連携両替処理について説明する。支払取引における連携両替処理は、ＡＴＭ２側で預金口座から貨幣を支払う処理を実行し、出金貨幣の金種の内、ＡＴＭ２からは出金しない貨幣金種を包装硬貨処理装置１から出金して受け取る処理である。
【００６１】
本実施形態における取引システムＳの構成（包装硬貨処理装置１の内部構成、ＡＴＭ２の内部構成、両替可能金額ファイル１９のデータ等）は、実施例１と同様であるため、詳細な説明を省略する。以下、図２０〜図２１を用いて、本実施形態特有の内容について詳細に説明する。
【００６２】
図２０は、連携両替処理（支払取引）における包装硬貨処理装置の処理を示すフローチャートである。最初に、ＡＴＭ２の制御部２１は、ＡＴＭ２の操作表示部２３に、図７に示す取引選択画面７０を表示させる。
【００６３】
ＡＴＭ２の制御部２１は、図７の取引選択画面７０において「お引出し」キーが選択されたことを検出すると（Ｓ３０１）、ＡＴＭ２の操作表示部２３に、図８に示すカード受付画面８０を表示させるとともに、カード機構部２７に対してカードの挿入を検出するように指示する。
【００６４】
ＡＴＭ２のカード機構部２７は、カードが挿入されたことを検出すると（Ｓ３０２）、当該カードのデータを読み取り、ＡＴＭ２の制御部２１に対して当該データを送信する。その後、ＡＴＭ２の制御部２１は、送信されたカードのデータより、カード種別・金融機関番号・支店番号・有効期限などを判定する（Ｓ３０３）。判定の結果、支払取引・両替処理の取り扱いが可能なカードと判別した場合（Ｓ３０４：Ｙｅｓ）、ＡＴＭ２の制御部２１は、ＡＴＭ２の操作表示部２３に暗証番号入力画面を表示させる（Ｓ３０５）。一方、Ｓ３０３の判定の結果、支払取引・両替取引の取り扱いができないカードと判別した場合（Ｓ３０４：Ｎｏ）、ＡＴＭ２のカード機構部２７は、カードを返却する（Ｓ３２１）。これにより、取引が終了される。
【００６５】
暗証番号の入力が完了したことを検出後、ＡＴＭ２の制御部２１は、通信制御部２２に対し、暗証番号に関するデータを送信するように指示する。ＡＴＭ２の通信制御部は、暗証番号に関するデータをホストコンピュータ５に送信し、暗証番号の照合結果を受信する。
【００６６】
暗証番号の照合結果、入力された暗証番号が正しい場合、ＡＴＭ２の制御部２１は、ＡＴＭ２の操作表示部２３に、支払金額入力画面を表示させる（Ｓ３０６）。支払金額の入力が完了したことを検出後、ＡＴＭ２の制御部２１は、ＡＴＭ２の操作表示部２３に、図２１に示す支払金額の種別の選択画面２１０を表示させる（Ｓ３０７）。図２１は、支払金額の種別の選択画面２１０の一例である。
【００６７】
図２１に示す画面において、「包装硬貨出金」キーが押下されたことを検出すると（Ｓ３０８：Ｙｅｓ）、ＡＴＭ２の制御部２１は、ＡＴＭ２の操作表示部２３に、図１２に示す包装硬貨の取扱案内画面を表示させる（Ｓ３０９）。一方、Ｓ３０８の判定の結果、「包装硬貨出金」が選択されていない場合（Ｓ３０８：Ｎｏ）、上記Ｓ３０９、及び後述するＳ３１０、Ｓ３１１の処理を実行せずに、Ｓ３１２以降の処理を実行する。
【００６８】
ＡＴＭ２の制御部２１は、図１２に示す包装硬貨の取扱案内画面１２０において「確認」キーが選択されたことを検出すると、ＡＴＭ２の操作表示部２３に、図１３に示す包装硬貨の両替設定画面１３０を表示させる（Ｓ３１０）。図１３の包装硬貨の両替設定画面１３０において「選択終了」キーが選択されたことを検出すると、ＡＴＭ２の制御部２１は、入力された支払金額から包装硬貨の両替金額を差し引いた残りの支払金額を計算する（Ｓ３１１）。
【００６９】
Ｓ３１１で計算された残りの支払金額が０円で無い場合（Ｓ３１２：Ｙｅｓ）、ＡＴＭ２の制御部２１は、ＡＴＭ２の紙幣取扱機構部２４及び硬貨取扱機構部２５に対して、残りの支払金額に相当する紙幣及びバラ硬貨の繰出を指示する。ＡＴＭ２の紙幣取扱機構部２４及び硬貨取扱機構部２５は、残りの支払金額に相当する枚数の紙幣及びバラ硬貨を繰り出す（Ｓ３１３）。なお、千円以上は紙幣での出金とし、千円未満の端数はバラ硬貨での出金とする。
【００７０】
紙幣またはバラ硬貨の繰出処理が完了すると、ＡＴＭ２の紙幣取扱機構部２４及び硬貨取扱機構部２５は、ＡＴＭ２の制御部２１に対してその旨を送信する。続いて、ＡＴＭの制御部２１は、ＡＴＭ２のカード機構部２７及び明細票機構部２８に対して、カードの放出及び明細書の発行を指示する。ＡＴＭ２のカード機構部２７は、カードを、カード挿入排出口を介して排出し、ＡＴＭ２の明細票機構部２８は、取引明細を印字した明細票を、明細票発券口を介して排出する（Ｓ３１４）。ＡＴＭ２のカード機構部２７及び明細票機構部２８は、排出されたカード及び明細票が利用者に抜き取られたことを検出した後、ＡＴＭ２の制御部２１に対してその旨を送信する（Ｓ３１５）。
【００７１】
続いて、紙幣及びバラ硬貨が繰り出されている場合（Ｓ３１６：Ｙｅｓ）、ＡＴＭ２の紙幣取扱機構部２４及び硬貨取扱機構部２５は、繰り出された紙幣及びバラ硬貨が利用者に抜き取られたことを検出する（Ｓ３１７）。ＡＴＭ２の紙幣取扱機構部２４及び硬貨取扱機構部２５は、繰り出された紙幣及びバラ硬貨が利用者に抜き取られたことを検出した場合、ＡＴＭ２の制御部２１に対してその旨を送信する。
【００７２】
紙幣またはバラ硬貨の抜き取りが完了すると、ＡＴＭ２の制御部２１は、Ｓ３０８において、包装硬貨による出金が選択されたか判定する（Ｓ３１８）。包装硬貨による出金が選択されている場合（Ｓ３１８：Ｙｅｓ）、ＡＴＭ２の制御部２１は、ＡＴＭ２の操作表示部２３に包装硬貨処理装置１への誘導案内画面を表示させた後（Ｓ３１９）、情報作成部２９により作成された両替可能金額ファイル１９を更新するためのデータを、通信制御部２２及び第１のネットワーク４を介して、包装硬貨処理装置１の格納部１８に送信する（Ｓ３２０）。これにより、両替可能金額ファイル１９が更新される。
【００７３】
なお、本発明の両替システムは、以上の実施例に限る事なく、本発明の技術思想に基づいて、例えば下記の例に示すような、種々の変形例が可能である。
【００７４】
（１）上記の実施例においては、単一の包装硬貨処理装置１を備えた両替システムＳを例としているが、複数台の包装硬貨処理装置１を備えた両替システムＳとしても良い。複数台の包装硬貨処理装置１を備える場合、いずれか１台の包装硬貨処理装置１をマスター機として、格納部１８に両替可能金額ファイル１９を格納すると共に、マスター機以外の包装硬貨処理装置１には、マスター機に固有のアドレス（例：ＩＰアドレス等）を制御部１１に設定し、連携両替処理の実行時等、両替可能金額ファイル１９へのアクセスが必要となった際に、ネットワークを経由してアクセスさせても良い。
【００７５】
（２）上記の実施例においては、図６のＳ１１０、Ｓ１１１に示すように、ＡＴＭ２側で包装硬貨の両替設定処理を実行しているが、包装硬貨処理装置１側で実行しても良い。包装硬貨処理装置１側で包装硬貨の両替設定処理を実行する場合、ＡＴＭ２で両替設定処理を実行した時から、実際に包装硬貨処理装置１で包装硬貨の出金を実行する時までの間に、包装硬貨出金機構部１３に収容している包装硬貨の残量が変動したとしても、包装硬貨の実際の残量に応じた出金をすることが可能となるため、包装硬貨の残量不足による出金中止を抑止することが可能となる。
【００７６】
（３）ＡＴＭ２に硬貨取扱機構部２５を備える代わりに、バラ硬貨を出金する硬貨出金機構部を包装硬貨処理装置１に備えても良い。このとき、ＡＴＭ２における硬貨取扱をニーズに応じて縮退したとしても、連携両替処理が実行可能である。また、包装硬貨処理装置１の筐体上部に硬貨出金機構２５を備え、筺体下部に包装硬貨出金機構部１３を備えることにより、筐体の横幅サイズを変更せずに、連携両替処理が実行可能である。なお、この場合、ＡＴＭ２における貨幣取扱機構部は、紙幣取扱機構部２４と同一となる。
【００７７】
（４）包装硬貨処理装置１とＡＴＭ２とは、同一金融機関の通信ネットワークの及ぶ範囲内に設置すればよく、例えばＡＴＭ２は同一金融機関のＡＴＭに限らず、コンビニに設置している銀行ＡＴＭのような共同利用型のＡＴＭであっても良い。
【００７８】
（５）上記の実施例においては、両替可能金額ファイル１９は、ＬＡＮ４に接続されている装置であれば、いずれの装置に格納しても良いとしているが、ホスト５のファイル部３４に格納しても良い。
【００７９】
（６）上記の実施例においては、両替取引における連携両替処理と、支払取引における連携両替処理について説明したが、入金取引における連携両替処理、すなわち、投入金額の一部の金額を入金し、残金を釣銭として返却する一部入金取引に適用しても良い。例えば、ＡＴＭ２に１万円紙幣を投入された場合に、５千円を入金し、残金の５千円を包装硬貨処理装置１から包装硬貨で受け取る場合がある。
【００８０】
（７）上記の実施例においては、両替システムＳに、入金機能と出金機能との双方を備えるＡＴＭ２を含めた構成としているが、入金機能のみを有する自動預金取引装置、あるいは出金機能のみの自動支払取引装置をＡＴＭ２の代わりに含めても良い。
【符号の説明】
【００８１】
Ｓ：両替システム、１：包装硬貨処理装置、２：ＡＴＭ、３：ルータ、４：第１のネットワーク、５：ホストコンピュータ、６：第２のネットワーク、１３：包装硬貨出金機構部、１９：両替可能金額ファイル
【図１】
2015161955.tif 000003
【図２】
2015161955.tif 000004
【図３】
2015161955.tif 000005
【図４】
2015161955.tif 000006
【図５】
2015161955.tif 000007
【図６】
2015161955.tif 000008
【図７】
2015161955.tif 000009
【図８】
2015161955.tif 000010
【図９】
2015161955.tif 000011
【図１０】
2015161955.tif 000012
【図１１】
2015161955.tif 000013
【図１２】
2015161955.tif 000014
【図１３】
2015161955.tif 000015
【図１４】
2015161955.tif 000016
【図１５】
2015161955.tif 000017
【図１６】
2015161955.tif 000018
【図１７】
2015161955.tif 000019
【図１８】
2015161955.tif 000020
【図１９】
2015161955.tif 000021
【図２０】
2015161955.tif 000022
【図２１】
2015161955.tif 000023